(57)【特許請求の範囲】
【請求項１】
水にぬれることによって変形しない撥水性を有する材料で構成した種々な形状の泥水等の跳ね上げ防止シートと、この跳ね上げ防止シートに形成させた細い踵部を挿通させる透孔と、この透孔の部分に重ねて前記跳ね上げ防止シートに固着されたゴムシートと、このゴムシートの前記透孔と重なる位置に設けられた装着孔と、この装着孔に中心部に向けて設けられた複数の舌片とから成り、これらの舌片の弾力により前記装着孔へ挿入装着させた前記跳ね上げ防止シートが前記踵部から脱落しないように構成したことを特徴とする、履物の泥水等の跳ね上げ防止具。
【発明の詳細な説明】
【０００１】
【発明の属する技術分野】
この発明は、ハイヒールや靴等の履物の踵部、或は下駄の歯に装着させて、雨天時の歩行中に雨水や泥水等の跳ね上げを防止するのに用いて好適な、履物の泥水等の跳ね上げ防止具に関する。
【０００２】
【従来の技術】
従来、この種の履物の泥水等の跳ね上げ防止具として、靴の踵部へ装着される構成の枠体と、この枠体より突設させた泥水等の跳ね上げを防止する突片とで構成したものが公知である。
【０００３】
また、その他のものとして、履物の踵部へ貼着させるシート状の粘着部の表側に、多数の毛状のものを植設させ、この毛状の部分で跳ね上がる泥水等を保持させるものや、つづら折りに折り曲げたシート状のものの両側端部に粘着部を設け、この粘着部を履物の踵部へ貼着させて全体として扇形状に開かせて使用するようにしたもの等が公知である。
【０００４】
【発明が解決しようとする課題】
この従来公知のもので前者のものは、繰り返し使用が可能であるが、どの種類の履物の踵部にも装着できるというものではなく、汎用性に欠けるという問題があった。
【０００５】
後者のもので、粘着部より多数の毛を植設させたものは、毛状の部分に泥水等が溜まることから、溜る量が多くなると、この部分から泥水等を跳ね上げてしまうという問題があり、両側に粘着部を設けた扇形の跳ね防止具は、歩行中に跳ね防止具が変形或は曲がってしまい易く、一定の状態を保つことが困難であるという問題があった。
【０００６】
この発明の目的は、簡単な構成で雨天時にどの種類の履物のさまざまな形態の踵部や下駄の歯へ容易に装着することができ、雨天での歩行時において道路上に溜っている雨水や泥水の後側への跳ね上げを有効に防止することのできる、安価な履物の泥水等の跳ね上げ防止具を提供せんとするにある。
【０００７】
【課題を解決するための手段】
上述した目的を達成するためにこの発明は、水にぬれることによって変形しない撥水性を有する材料で構成した種々な形状の泥水等の跳ね上げ防止シートと、この跳ね上げ防止シートに形成させた細い踵部を挿通させる透孔と、この透孔の部分に重ねて前記跳ね上げ防止シートに固着されたゴムシートと、このゴムシートの前記透孔と重なる位置に設けられた装着孔と、この装着孔に中心部に向けて設けられた複数の舌片とから成り、これらの舌片の弾力により前記装着孔へ挿入装着させた前記跳ね上げ防止シートが前記踵部から脱落しないように構成したことを特徴とする。
【０００８】
【発明の実施の形態】
図面はこの発明の一実施の形態を示し、図１乃至図２において、１は履物の泥水等の跳ね上げ防止具、２はこの泥水等の跳ね上げ防止具１を構成する泥水等の跳ね上げ防止シートであり、平面形状が蝶形状を呈している。この跳ね上げ防止シート２の材料としては、好適には０．１ｍｍ厚程度のフッ素系の樹脂フィルムが好ましいが、それ以外の合成樹脂製のテープ、水に強い紙製のテープ、形状記憶合金製の薄肉シートや繊維、或はアルミニウム金属製のテープ等であっても良い。要するに、後述する粘着部を形成でき、折り曲げが可能であって、撥水効果があり、かつ折り曲げた状態が、雨水に濡れることによって、変形したり、元の状態に戻ったりしない材質のものであれば足りる。また、跳ね上げ防止シート２の形状についても、実施の形態のものに限定されない。単なる丸形、四角形であっても良く、その他のさまざまな形状のものが考えられる。
【０００９】
この跳ね上げ防止シート２には、その略中央部には透孔２ａが設けられ、この透孔２ａの部分には軟質の弾性を有する薄いゴムシート３が貼着されている。このゴムシート３には、透孔２ａと重なる位置に、その中心部より外側へ放射方向に設けられた切り込みによって形成された複数の舌片４ａを有する装着孔４が設けられている。
【００１０】
したがって、図３と図４に示したように、ハイヒール５の踵部５ａを跳ね上げ防止シート２に設けた装着孔４へ挿通させると、弾性を有する舌片４ａによって、さまざまな形状及び径の踵部５ａにフィットし、雨天の歩行時に跳ね上げ防止シート２が踵部５ａより跳ね上げる泥水をカットするので、着物の裾やストッキングの後ろ側に泥水が跳ね上がって汚すことがないものである。
【００１１】
図５乃至図６は他の実施の形態を示し、この実施の形態に係る泥水等の跳ね上げ防止具１０は、多数の舌片１１ａで構成された平面弓形を呈する泥水等の跳ね上げ防止シート１１と、この跳ね上げ防止シート１１に取り付けたゴムリング１２とで構成されている。尚、跳ね上げ防止シート１１をゴムリング１２へ取り付ける部分には、これを防止シート１１より折り曲げて構成した取付部１１ｂを設け、この折り曲げ角度を任意に調節できるように構成することが望ましい。そして、この実施の形態に係る跳ね上げ防止シート１１の材料は、先の実施の形態のものと同じであり、その形状については、平面扇形のもの、或は舌片によらず、葛折りにしたもの等が考えられ、その形状に限定はない。
【００１２】
図７はこの第２の実施の形態に係る泥水の跳ね上げ防止具１０を靴１３に取り付けた場合を示し、跳ね上げ防止シート１１の部分を靴１３の踵部１３ａの後方へ突出させてゴムリング１２を靴１３の踵部１３ａへ装着させるのみで、取り付けが完了する。後は跳ね上げ防止シート１１を手で持って、適当な角度、望むベくは、図面に示したように６０°の角度になるように調節するものである。
【００１３】
この第２の実施の形態のものは、女性用のハイヒールや中ヒールの踵部及び下駄の歯にも用いることができる。
【００１４】
【発明の効果】
この発明は以上のように構成したので、次のような効果を奏し得る。
【００１５】
請求項１のように構成すると、とくに女性のハイヒールのようなさまざまな形状、太さを有する細い踵部へ対しての装着が容易となり、装着孔と舌片を有するゴムシートの弾性と摩擦力によって各舌片の先端が逆円錐形状を呈する踵部にフィットすることから、雨にぬれても歩行中に自然に脱落してしまうのを防止することができるという効果を奏し得る。
【図面の簡単な説明】
【図１】  この発明に係る履物の泥水等の跳ね上げ防止具を平面から見た斜視図である。
【図２】  図１のＡ−Ａ線断面図である。
【図３】  図１に示した履物の泥水等の跳ね上げ防止具をハイヒールの踵部に装着した場合の説明図である。
【図４】  図３の部分的拡大図である。
【図５】  この発明に係る履物の泥水等の跳ね上げ防止具の他の実施の形態を示す斜視図である。
【図６】  図５に示した泥水等の跳ね上げ防止具の断面図である。
【図７】  図５に示した履物の泥水等の跳ね上げ防止具を靴の踵部に装着した場合の説明図である。
【符号の説明】
１  履物の泥水等の跳ね上げ防止具
２  跳ね上げ防止シート
３  ゴムシート
４  装着孔
４ａ  舌片
５  ハイヒール
５ａ  踵部
１０  履物の泥水等の跳ね上げ防止具
１１  跳ね上げ防止シート
１１ａ  舌片
１１ｂ  取付部
１２  ゴムリング
１３  靴
１３ａ  踵部
【図１】
0004194687.tif 000002
【図２】
0004194687.tif 000003
【図３】
0004194687.tif 000004
【図４】
0004194687.tif 000005
【図５】
0004194687.tif 000006
【図６】
0004194687.tif 000007
【図７】
0004194687.tif 000008